(57)【特許請求の範囲】
【請求項１】
複数種類の紙葉類を扱う紙葉類処理装置であって、
紙葉類を種別毎に収納し、前記紙葉類の繰り出しと受け入れとを実行する複数の種別収納部と、
複数種類の紙葉類を収納し、前記紙葉類の繰り出しと受け入れとを実行する少なくとも１つの混合収納部と、
前記紙葉類処理装置の稼働前に、前記種別収納部または前記混合収納部に収納された前記紙葉類を識別及び計数して、前記識別及び計数された前記紙葉類を、前記紙葉類の種別毎に前記種別収納部に収納する装填処理と、前記紙葉類処理装置の稼働後に、前記種別収納部に収納されている前記紙葉類を種別毎に計数し、該計数した紙葉類を前記種別収納部または前記混合収納部のいずれかに収納する精査処理とを制御する制御部と、
を備えることを特徴とする紙葉類処理装置。
【請求項２】
前記制御部は、
前記装填処理の開始時に、前記種別収納部及び前記混合収納部の前記紙葉類の収納状況に応じて、前記種別収納部または前記混合収納部のいずれかを前記紙葉類の計数元に決定する
ことを特徴とする、請求項１に記載の紙葉類処理装置。
【請求項３】
前記制御部は、
前記装填処理の開始時に、前記種別収納部に前記紙葉類が収納されていた場合に、前記種別収納部を前記紙葉類の計数元に決定する
ことを特徴とする、請求項２に記載の紙葉類処理装置。
【請求項４】
前記制御部は、
前記種別収納部を前記紙葉類の計数元に決定した場合に、前記種別収納部に収納されている前記紙葉類を識別及び計数して、前記識別及び計数した紙葉類を前記混合収納部に収納し、前記種別収納部が空になった後に、前記混合収納部に収納した前記紙葉類を前記種別収納部に収納する
ことを特徴とする、請求項３に記載の紙葉類処理装置。
【請求項５】
前記制御部は、
前記装填処理の開始時に、前記混合収納部に前記紙葉類が収納されていた場合に、前記混合収納部を前記紙葉類の計数元に決定する
ことを特徴とする、請求項２に記載の紙葉類処理装置。
【請求項６】
前記制御部は、
前記混合収納部を前記紙葉類の計数元に決定した場合に、前記混合収納部に収納されている前記紙葉類を識別及び計数して、前記識別及び計数した紙葉類を前記紙葉類の種別に対応する前記種別収納部に収納する
ことを特徴とする、請求項５に記載の紙葉類処理装置。
【請求項７】
前記制御部は、
前記精査処理の開始時に、前記紙葉類の残量に応じて、前記種別収納部または前記混合収納部のいずれに収納するかを決定する
ことを特徴とする、請求項１に記載の紙葉類処理装置。
【請求項８】
前記制御部は、
前記精査処理の開始時に、前記種別収納部に収納されている前記紙葉類の残量が前記混合収納部の紙葉類収納可能量よりも少ないかまたは等しい場合、前記紙葉類の収納先を前記混合収納部に決定する
ことを特徴とする、請求項７に記載の紙葉類処理装置。
【請求項９】
前記制御部は、
前記精査処理の開始時に、前記種別収納部に収納されている前記紙葉類の残量が前記混合収納部の紙葉類収納可能量よりも多い場合、前記紙葉類の収納先を前記種別収納部に決定する
ことを特徴とする、請求項７に記載の紙葉類処理装置。
【請求項１０】
前記制御部は、
前記紙葉類の収納先を前記種別収納部に決定した場合、前記種別収納部に収納されている前記紙葉類を識別及び計数して、前記識別及び計数した紙葉類を前記混合収納部に収納し、前記種別収納部が空になった後に、前記混合収納部に収納した前記紙葉類を、前記紙葉類の種別に対応する前記種別収納部に収納する
ことを特徴とする、請求項９に記載の紙葉類処理装置。
【請求項１１】
前記制御部は、
前記紙葉類の収納先を前記種別収納部に決定した場合、前記紙葉類の残量を収納可能な前記種別収納部の数を算出する
ことを特徴とする、請求項９に記載の紙葉類処理装置。
【請求項１２】
前記制御部は、
前記種別収納部に収納されている前記紙葉類を識別及び計数して、前記識別及び計数した紙葉類を前記混合収納部に収納し、前記算出された数に応じた前記種別収納部に前記紙葉類を収納する
ことを特徴とする、請求項１１に記載の紙葉類処理装置。
【請求項１３】
前記制御部は、
前記精査処理の開始時に、前記種別収納部に収納されている前記紙葉類の残量が前記混合収納部の紙葉類収納可能量よりも多い場合、残量の最も多い種別の前記紙葉類の収納先を前記混合収納部に決定し、他の種別の前記紙葉類の収納先を当該紙葉類の種別に対応する前記種別収納部に決定する
ことを特徴とする、請求項７に記載の紙葉類処理装置。
【請求項１４】
前記制御部は、
予め設定された前記紙葉類処理装置の所定の設定情報に基づいて、前記装填処理における前記紙葉類の計数元と、前記精査処理における前記紙葉類の収納先を決定する
ことを特徴とする、請求項１に記載の紙葉類処理装置。
【請求項１５】
前記制御部は、
係員の入力に応じて、前記装填処理における前記紙葉類の計数元と、前記精査処理における前記紙葉類の収納先を決定する
ことを特徴とする、請求項１に記載の紙葉類処理装置。
【請求項１６】
前記制御部は、
前記精査処理後に、前記種別収納部または前記混合収納部のいずれに前記紙葉類が収納されているかと、収納されている前記紙葉類の種別とを表示部に表示させる
ことを特徴とする、請求項１に記載の紙葉類処理装置。
【請求項１７】
複数種類の紙葉類を扱う紙葉類処理装置を用いた紙葉類処理方法であって、
前記紙葉類処理装置は、紙葉類を種別毎に収納し、前記紙葉類の繰り出しと受け入れとを実行する複数の種別収納部と、複数種類の紙葉類を収納し、前記紙葉類の繰り出しと受け入れとを実行する少なくとも１つの混合収納部と、を備え、
前記紙葉類処理装置の稼働前に、前記種別収納部または前記混合収納部に収納された前記紙葉類を識別及び計数して、前記識別及び計数された前記紙葉類を、前記紙葉類の種別毎に前記種別収納部に収納する第１のステップと、
前記紙葉類処理装置の稼働後に、前記種別収納部に収納されている前記紙葉類を種別毎に計数し、該計数した紙葉類を前記種別収納部または前記混合収納部のいずれかに収納する第２のステップと、
を含むことを特徴とする、紙葉類処理方法。
【発明の詳細な説明】
【技術分野】
【０００１】
本発明は、紙葉類処理装置及び紙葉類処理方法に関し、紙葉類を効率的に装填したり精査したりする紙葉類処理装置及び紙葉類処理方法に適用して好適なるものである。
【背景技術】
【０００２】
一般的に、金融機関等に設置される自動預金支払機（ＡＴＭ）や自動両替機等の自動取引装置においては、事前に自動取引装置に備わる紙葉類処理装置に金券等の紙葉類を装填し、一定期間経過後に紙葉類処理装置内に残留している紙葉類を計数して、紙葉類の残量を精査するという運用が行われている。ここで、紙葉類の装填とは、自動取引装置の運用を開始する前に、予め係員等により紙葉類が手詰めされたカセットが紙葉類処理装置に設置され、当該紙葉類の識別及び計数が行われた後、紙葉類毎に適切なカセットに収納されることをいう。また、紙葉類の残量の精査とは、自動取引装置の運用を終了する場合に、紙葉類処理装置の紙葉類毎に収納されている紙葉類が識別されて紙葉類毎に残量が計数されることをいう。
【０００３】
従来、紙葉類処理装置内に残留している紙葉類の精査を行う際には、紙葉類処理装置内に装着された紙葉類の複数種類のカセット内の紙葉類を、各カセットからすべて繰り出して、紙葉類の識別や、計数及び残量の精査を実施していた。このように、精査処理を行う際に各カセットからすべての紙葉類を繰り出す必要があるため、繰り出し先のカセットの紙葉類収納可能量が紙葉類の残量より少ない場合には、複数回に亘って紙葉類の精査処理を行わなければならず、精査処理が中断してしまうという問題があった。
【０００４】
そこで、特許文献１には、紙葉類の繰り出し先のカセットの紙葉類収納可能量に応じて、精査処理の実施可否を判断する技術が開示されている。具体的には、繰り出し先のカセットの紙葉類収納可能量が各紙葉類のカセットの残量より多い、または等しい場合には、精査処理実行可能と判断する。一方、繰り出し先のカセットの紙葉類収納可能量が各紙葉類のカセットの残量より少ない場合には、精査処理実行不可能と判断する。
【０００５】
また、特許文献２には、精査処理の途中で繰り出し先のカセットが満杯になった場合に、精査処理を中断させずに精査処理を完了させる技術が開示されている。具体的には、紙葉類毎のカセットや精査用のカセットの収納空間の上部に一時的に紙葉類を収納する一時保留部を備え、紙葉類の精査時に精査用のカセットが満杯になった場合に、精査対象の紙葉類以外の一時保留部に紙葉類の搬送先を変更することにより、精査処理を中断させずに精査処理を完了する。
【先行技術文献】
【特許文献】
【０００６】
【特許文献１】特開平１１−１６０３０号公報
【特許文献２】特開２００９−１５１３５４号公報
【発明の概要】
【発明が解決しようとする課題】
【０００７】
しかし、上記特許文献１では、紙葉類収納可能量が各紙葉類のカセットの残量よりも少ない場合に、精査処理が実施されないため、効率が悪いという問題があった。また、特許文献２では、一時保留部を設けることで、精査処理時に収納先のカセットが満杯になった場合でも、精査処理を続行させることができるが、精査処理時の収納先のカセットを大容量にしたり、各カセットの上部に一時保留部を設けたりしなければならず、紙葉類処理装置の構造が複雑になるという問題があった。
【０００８】
本発明は以上の点を考慮してなされたもので、紙葉類処理装置の構造を改造することなく、効率よく紙葉類の装填処理や精査処理を実行することが可能な紙葉類処理装置及び紙葉類処理方法を提案しようとするものである。
【課題を解決するための手段】
【０００９】
かかる課題を解決するために本発明においては、複数種類の紙葉類を扱う紙葉類処理装置であって、紙葉類を種別毎に収納し、前記紙葉類の繰り出しと受け入れとを実行する複数の種別収納部と、複数種類の紙葉類を収納し、前記紙葉類の繰り出しと受け入れとを実行する少なくとも１つの混合収納部と、前記紙葉類処理装置の稼働前に、前記種別収納部または前記混合収納部に収納された前記紙葉類を識別及び計数して、前記識別及び計数された前記紙葉類を、前記紙葉類の種別毎に前記種別収納部に収納する装填処理と、前記紙葉類処理装置の稼働後に、前記種別収納部に収納されている前記紙葉類を種別毎に計数し、該計数した紙葉類を前記種別収納部または前記混合収納部のいずれかに収納する精査処理とを制御する制御部と、を備えることを特徴とする紙葉類処理装置が提供される。
【００１０】
かかる構成によれば、装填処理において、種別収納部及び混合収納部のいずれに紙葉類が収納されているかによって紙葉類の計数元を決定し、決定した計数元の収納部の紙葉類を種別毎に識別及び計数して、紙葉類の種別に対応する種別収納部に収納する。また、精査処理において、紙葉類の残量に応じて収納先を決定し、決定した収納先の収納部に識別及び計数した紙葉類を収納する。これにより、装填処理の開始時に、紙葉類が種別収納部または混合収納部のいずれに収納されているかを自動的に判断することができる。すなわち、装填したい紙葉類が混合収納部の紙葉類収納可能量以下の場合は、混合収納部に紙葉類を詰めて装填処理を行うことにより、１個のカセットによって一度の装填処理で紙葉類の装填が可能となり、装填したい紙葉類が混合収納部の紙葉類収納可能量より多い場合は、種別収納部に紙葉類を詰めて装填処理を行うことにより、係員が途中で介在することなく一度の装填処理で紙葉類の装填を行うことができるとともに、装填したい紙葉類の量により準備するカセットの数を最少にすることが可能となる。また、精査処理時には、精査処理の途中で混合収納部に収納された紙葉類を係員が取出すなどの精査処理の中断を回避し、精査時の紙葉類の残量により紙葉類を収納するカセットの数を最少にして、効率的に紙葉類の回収を行うことを可能としている。
【発明の効果】
【００１１】
本発明によれば、紙葉類処理装置の構造を改造することなく、効率よく紙葉類の装填処理や精査処理を実行することができる。
【図面の簡単な説明】
【００１２】
【図１】本発明の第１の実施形態に係る自動取引装置の前面の外観を示す斜視図である。
【図２】同実施形態にかかる自動取引装置の後面の外観を示す斜視図である。
【図３】同実施形態にかかる自動取引装置のハードウェア構成を示すブロック図である。
【図４】同実施形態にかかる紙葉類処理装置の内部構成を示すブロック図である。
【図５Ａ】同実施形態にかかる装填処理の処理内容を示すフローチャートである。
【図５Ｂ】同実施形態にかかる装填処理の処理内容を示すフローチャートである。
【図６Ａ】同実施形態にかかる精査処理の処理内容を示すフローチャートである。
【図６Ｂ】同実施形態にかかる精査処理の処理内容を示すフローチャートである。
【図７】同実施形態にかかる精査処理の具体例を示す概念図である。
【図８】同実施形態にかかる精査処理の具体例を示す概念図である。
【図９】同実施形態にかかる顧客操作部の表示例を示す概念図である。
【図１０】同実施形態にかかる顧客操作部の表示例を示す概念図である。
【図１１Ａ】第２の実施形態にかかる精査処理の処理内容を示すフローチャートである。
【図１１Ｂ】同実施形態にかかる精査処理の処理内容を示すフローチャートである。
【図１２】同実施形態にかかる精査処理の具体例を示す概念図である。
【図１３】同実施形態にかかる精査処理の具体例を示す概念図である。
【図１４】同実施形態にかかる顧客操作部の表示例を示す概念図である。
【図１５Ａ】第３の実施形態にかかる精査処理の処理内容を示すフローチャートである。
【図１５Ｂ】同実施形態にかかる精査処理の処理内容を示すフローチャートである。
【図１６】同実施形態にかかる精査処理の具体例を示す概念図である。
【図１７】同実施形態にかかる顧客操作部の表示例を示す概念図である。
【図１８】第４の実施形態にかかる係員操作部の表示例を示す概念図である。
【図１９】同実施形態にかかる係員操作部の表示例を示す概念図である。
【発明を実施するための形態】
【００１３】
以下図面について、本発明の一実施の形態を詳述する。
【００１４】
（１）第１の実施の形態
（１−１）自動取引装置の外観構成
本実施の形態では、本発明にかかる紙葉類処理装置を備えた自動取引装置を例示して説明する。まず、自動取引装置１の外観構成について説明する。自動取引装置１は、紙葉類、包装硬貨及び硬貨を取り扱う装置であって、自動取引装置１は、主に、紙葉類を取り扱う紙葉類処理装置１１、包装硬貨を取り扱う包装硬貨処理装置１２及び硬貨を取り扱う硬貨処理装置１３を含んで構成されている。紙葉類としては、紙幣や商品券などの金券を例示することができる。
【００１５】
図１は、自動取引装置１の前面の外観を示している。図１に示すように、自動取引装置１は、主に、紙葉類入出金口２、包装硬貨取出口３、硬貨取出口４、硬貨入金処理装置５、カード挿入口６、明細票取出口７及び顧客操作部８を備えて構成される。
【００１６】
紙葉類入出金口２には、両替される紙葉類が投入されると共に、両替された紙葉類が放出される。包装硬貨取出口３には両替された包装硬貨が放出され、硬貨取出口４には両替された硬貨が放出される。硬貨入金処理装置５には、両替手数料等の硬貨が投入される。カード挿入口６には、両替時に利用者により利用者の取引カードなどが挿入される。明細票取出口７には、両替取引の内容等が印字された明細票が放出される。顧客操作部８は、操作部と表示部を兼ね、例えば、顧客操作部８上で利用者により両替する金種が設定されたり、顧客操作部８に入金結果や両替結果が表示されたりする。
【００１７】
図２は、自動取引装置１の後面の外観を示している。図２に示すように、自動取引装置１は、紙葉類処理装置１１、包装硬貨処理装置１２、硬貨処理装置１３及び係員操作部９を備えて構成される。紙葉類処理装置１１は、紙葉類を取り込んだり、識別したり、搬送したり、繰り出したりする装置である。包装硬貨処理装置１２は、包装硬貨を識別したり、搬送したり、放出したりする装置であり、硬貨処理装置１３は、硬貨を識別したり、搬送したり、放出したりする装置である。係員操作部９は、操作部と表示部を兼ね、例えば、係員操作部９上で係員により紙葉類の装填処理や精査処理開始の指示操作が行われる。
【００１８】
（１−２）自動取引装置のハードウェア構成
次に、自動取引装置１のハードウェア構成について説明する。図３に示すように、自動取引装置１は、紙葉類処理装置１１、包装硬貨処理装置１２、硬貨処理装置１３、硬貨入金処理装置５、カード処理装置１４、明細票処理装置１５、顧客操作部８、係員操作部９及びこれら各部を制御する主制御部３０から構成されている。主制御部３０は、演算処理装置及び制御装置として機能し、メモリ（図示せず）に格納されている各種プログラムに従って、自動取引装置１内の動作全般を制御する。具体的に、主制御部３０は、顧客操作部８及び係員操作部９への案内表示や入力受付を指示したり、紙葉類処理装置１１への入金や出金などを指示したり、包装硬貨処理装置１２及び硬貨処理装置１３への出金等を指示したり、硬貨入金処理装置５への入金受付等を指示したりする。また、カード処理装置１４にカードの受付や、読込みや返却等を指示したり、明細票処理装置１５に明細票の印刷を指示したりする。また、主制御部３０は、各部の処理結果を確認したり判断したりすることにより顧客により指示された各種取引や係員により指示された各種処理を実行する。
【００１９】
紙葉類処理装置１１は、制御部３１、紙葉類搬送部３４及び紙葉類収納部３５から構成される。
【００２０】
制御部３１は、演算処理装置及び制御装置として機能し、自動取引装置１の主制御部３０からの指示に従って、各種動作を実行し、実行結果を主制御部３０に返す。
【００２１】
また、紙葉類搬送群３４は、紙葉類入出金口２、識別部３２及び一時保留部３３から構成される。紙葉類入出金口２には紙葉類が入金される。識別部３２は紙葉類を識別し、一時保留部３３には一時的に紙葉類を保留される。
【００２２】
また、紙葉類収納群３５は、種別収納部Ｃ１、Ｃ２及びＣ３、混合収納部Ｃ４、不良紙葉類収納部Ｃ５及び入金紙葉類収納部Ｃ６から構成される。種別収納部Ｃ１〜Ｃ３には、利用客の要望に応じて両替金を出金するために準備された出金用紙葉類が収納される。種別収納部Ｃ１〜Ｃ３には、それぞれ、単一の紙葉類を集積したり繰り出したりする機能を有し、紙葉類の種別毎にまとめて収納される。例えば、紙葉類が紙幣の場合には、種別収納部Ｃ１に千円が収納され、種別収納部Ｃ２に五千円が収納され、種別収納部Ｃ３に万円が収納される。ただし、精査処理が行われる際には、一つの種別収納部に複数の種別の紙葉類を集積したり繰り出したりする機能を備えてもよい。例えば、種別収納部Ｃ１に千円と五千円が収納され、種別収納部Ｃ２に万円が収納されてもよい。また、混合収納部Ｃ４は、係員が紙葉類を装填したり精査したりする際に使用される。混合収納部Ｃ４は、複数の種別の紙葉類を集積したり繰り出したりする機能を有している。例えば、紙葉類が紙幣の場合には、混合収納部Ｃ４に千円、五千円及び万円が収納される。不良紙葉類収納部Ｃ５には、識別部３２によって正常に識別できなかった不良紙葉類が収納される。入金紙葉類収納部Ｃ６は、顧客により入金された紙葉類が収納される。
【００２３】
次に、自動取引装置１に備わる紙葉類処理装置１１の内部構成について説明する。図４に示すように、紙葉類処理装置１１は、紙葉類Ｓの搬送及び識別を行う紙葉類搬送群３４が装置の上部側に設けられ、紙葉類Ｓを収納する紙葉類収納群３５が装置の下部側に設けられている。このように、紙葉類処理装置１１の構成を、紙葉類の搬送系と収納系とに分けることにより、内部構造を簡素化することができる。また、紙葉類搬送群３４と紙葉類収納群３５との間に搬送路Ｌを設けることにより、紙葉類処理装置１１内で紙葉類Ｓを搬送させている。また、紙葉類収納群３５の各収納部に収納されている紙葉類Ｓの残量情報は、紙葉類処理装置１１の制御部３１が保持している。
【００２４】
（１−３）自動取引装置の動作
ここで、図４を参照して、自動取引装置１の運用開始から終了までの紙葉類処理装置１１の動作について説明する。
【００２５】
（１−３−１）装填処理の概要
まず、自動取引装置１の運用開始前の紙葉類の装填処理について説明する。自動取引装置１の運用開始にあたり、係員により、紙葉類処理装置１１に紙葉類が装填される。具体的に、係員は、予め紙葉類が手詰めされた出金用の紙葉類を種別収納部Ｃ１〜Ｃ３または混合収納部Ｃ４を紙葉類処理装置１１にセットして、係員操作部９を操作して装填開始の指示ボタンを押下する。係員により装填開始の指示ボタンが押下されると、装填開始指示が主制御部３０から紙葉類処理装置１１の制御部３１に通知され、紙葉類処理装置１１により装填処理が開始される。装填処理とは、上記したように、自動取引装置１における運用が開始される前に、紙葉類が手詰めされたカセットが紙葉類処理装置１１に設置され、当該紙葉類の識別及び計数が行われた後、紙葉類毎に適切なカセットに収納されることをいう。
【００２６】
紙葉類処理装置１１において、装填処理が開始されると、種別収納部Ｃ１〜Ｃ３または混合収納部Ｃ４から紙葉類が繰り出され、搬送路Ｌを通って識別部３２で紙葉類が識別される。例えば、装填用紙葉類を種別収納部Ｃ１〜Ｃ３に手詰めされていた場合、Ｃ１〜Ｃ３に収納されている紙葉類は一旦混合収納部Ｃ４に収納される。そして、混合収納部Ｃ４の紙葉類が識別部３２で紙葉類の種別が識別されて、識別された種別に対応する種別収納部Ｃ１〜Ｃ３のいずれかに収納される。なお、識別部３２により識別された結果、正常ではないと判断された紙葉類は、不良紙葉類として不良紙葉類収納部Ｃ５に収納される。このように、種別収納部Ｃ１〜Ｃ３または、混合収納部Ｃ４に手詰めされた紙葉類がすべて繰り出されて装填処理が終了すると、装填結果が紙葉類処理装置１１の制御部３１から主制御部３０に通知される。そして、主制御部３０に通知された装填結果が係員操作部９に表示されて、係員が係員操作部９にて稼働開始を指示するボタンを押下することにより、自動取引装置１の稼働が開始される。
【００２７】
（１−３−２）両替取引処理の概要
次に、紙葉類の両替取引処理について説明する。両替取引処理が開始され、利用客により両替元金が紙葉類入出金口２に投入されると、主制御部３０は、紙葉類処理装置１１に入金指令を送信する。そして、紙葉類処理装置１１は、紙葉類入出金口２に投入された紙葉類を収納し、識別部３２に搬送して、紙葉類の真偽、金種、枚数を識別した後、紙葉類を一時保留部３３に導いて一時的に保持する。このとき、識別部３２により紙葉類が識別不良であると判定されたり、一時保留部が満杯となって紙葉類の受け入れができなかったりする場合には、紙葉類を紙葉類入出金口２に返送する。
【００２８】
主制御部３０は、紙葉類処理装置１１からの入金指令に対する処理結果に基づいて、利用客に返却する紙葉類があると判定した場合には、紙葉類入出金口２から利用客に紙葉類を返却する。また、返却すべき紙葉類がないと判定した場合には、顧客操作部８に両替設定画面を表示し、利用客により要望された両替内容を受け付ける。
【００２９】
顧客操作部８を介して、両替内容が利用客により指定されると、主制御部３０は紙葉類処理装置１１に両替金の出金指令を通知する。紙葉類処理装置１１は、主制御部３０からの出金指令によって、利用客により指定された金種、枚数にしたがって、該金種を収納している種別収納部Ｃ１〜Ｃ３から種別毎に１枚ずつ紙葉類を繰り出して、識別部３２で識別した後、紙葉類入出金口２に放出する。このとき、識別部３２によって識別不良と判断された紙葉類は、不良紙葉類収納部Ｃ５に収納される。そして、紙葉類処理装置１１は、出金指令に対する動作が完了すると、主制御部３０に出金指令に対する処理結果を返送する。
【００３０】
主制御部３０は、紙葉類処理装置１１からの出金指令に対する処理結果に基づいて、利用客に渡すべき紙葉類の種別、枚数が正常に放出できたと判定した場合には、紙葉類入出金口２に放出された両替金を利用客に渡すために紙葉類入出金口２の開閉口を開ける。
【００３１】
なお、入金処理時に一時保留部３３に一時的に保持された入金紙葉類は、運用上の最適な収納タイミングで主制御部３０から紙葉類処理装置１１に対して収納指令が送出されて、紙葉類収納群３５に収納される。この場合、利用客により挿入された両替元金である紙葉類は入金紙葉類収納部Ｃ６に収納したり、種別収納部Ｃ１〜Ｃ３に収納して両替元金を出金用として再度収納したりしてもよい。以上の処理によって紙葉類の両替処理が完了する。
【００３２】
（１−３−３）精査処理の概要
次に、自動取引装置１の運用を終了する場合の紙葉類の精査処理について説明する。自動取引装置１の運用を終了する場合、係員により係員操作部９上の精査開始の指示ボタンが押下され、主制御部３０から精査開始指示が紙葉類処理装置１１の制御部３１に通知されて、精査処理が開始する。ここで、精査処理とは、上記したように、自動取引装置１の運用を終了する場合に、紙葉類処理装置１１の紙葉類毎に収納されている紙葉類が識別された紙葉類毎に残量が計数されることをいう。
【００３３】
紙葉類処理装置１１において精査処理が開始されると、紙葉類の種別ごとに精査処理が実行される。精査処理では、例えば、種別収納部Ｃ１から紙葉類が繰出され、搬送路Ｌを通って識別部３２で紙葉類が識別される。そして、識別部３２で識別された結果、正常な紙葉類であると判定された場合には、搬送路Ｌを通って混合収納部Ｃ４に収納される。一方、識別部３２で識別された結果、異常な紙葉類であると判定された場合には、搬送路Ｌを通って不良紙葉類収納部Ｃ５に収納される。種別収納部Ｃ１からの繰り出しが終了すると、種別収納部Ｃ１に収納されている紙葉類と同様に、種別収納部Ｃ２に収納されている紙葉類の精査処理が実行される。このように、精査処理が終了すると、精査結果が紙葉類処理装置１１の制御部３１から主制御部３０に通知され、係員操作部９に精査結果が表示される。自動取引装置１は、装填結果、入金結果、出金結果から、自動取引装置１内に保有している現金保有量を主制御部３０で管理している。したがって、主制御部３０により管理されている現金保有量と、紙葉類処理装置１１から通知された精査結果と、不良紙葉類収納部Ｃ５に収納されている紙葉類とから、紙葉類の入出金を確認することができる。すなわち、係員により、精査結果により判明した紙葉類の総数と、不良紙葉類収納部Ｃ５内の紙葉類の総数との合計が、現金保有量の総数と一致することが確認された場合に、精査処理が正常に完了したこととなる。
【００３４】
（１−３−１）装填処理の詳細
次に、本実施の形態にかかる装填処理の詳細について説明する。図５Ａに示すように、まず、紙葉類処理装置１１の制御部３１（以下、単に制御部３１として説明する場合もある。）は、種別収納部Ｃ１〜Ｃ３または混合収納部Ｃ４のいずれかに紙葉類がセットされたことを認識する（Ｓ１０１）。例えば、種別収納部Ｃ１〜Ｃ３または混合収納部Ｃ４内の紙幣の厚みを厚みセンサなどにより検出して、紙幣がカセットにセットされたこを認識する。また、係員が種別収納部Ｃ１〜Ｃ３または混合収納部Ｃ４のいずれかに紙葉類を手詰めして、係員操作部９の手詰め完了ボタン等が押下される。手詰め完了ボタンが押下されることにより、制御部３１は紙葉類がセットされたことを認識するようにしてもよい。
【００３５】
次に、制御部３１は、紙葉類が詰められている収納部が、種別収納部Ｃ１〜Ｃ３か混合収納部Ｃ４のいずれであるかを判定する（Ｓ１０２）。
【００３６】
ステップＳ１０２において、紙葉類が詰められている収納部が種別収納部Ｃ１〜Ｃ３であると判定された場合には、制御部３１は、計数元を種別収納部Ｃ１〜Ｃ３とする（Ｓ１０３）。一方、ステップＳ１０２において、紙葉類が詰められている収納部が混合収納部Ｃ４であると判定された場合には、制御部３１は、計数元を混合収納部Ｃ４とする（Ｓ１０４）。
【００３７】
そして、ステップＳ１０３またはステップＳ１０４において設定した計数元からの紙葉類の繰り出しを各種別収納部に指示する（Ｓ１０５）。さらに、ステップＳ１０５において繰り出した紙葉類の識別及び計数を識別部３２及び各種別収納部に指示する（Ｓ１０６）。
【００３８】
続いて、計数元の収納部が、種別収納部Ｃ１〜Ｃ３か混合収納部Ｃ４のいずれであるかを判定する（Ｓ１０７）。
【００３９】
ステップＳ１０７において、計数元の収納部が種別収納部Ｃ１〜Ｃ３であると判定された場合には、ステップＳ１０５において繰り出した紙葉類を一旦混合収納部Ｃ４に収納するよう各収納部に指示する（Ｓ１０８）。
【００４０】
続いて、制御部３１は、紙葉類繰出し中の種別収納部が空か否かを判定する（Ｓ１０９）。例えば、種別収納部内に、種別収納部内が空であるかを検知する空検知センサが備えられている場合に、制御部３１は、空検知センサから通知される検知結果に応じて、種別収納部が空か否かを判定する。ステップＳ１０９において、紙葉類繰出し中の種別収納部が空であると判定された場合には、制御部３１は、ステップＳ１１０以降の処理を実行する。一方、ステップＳ１０９において紙葉類繰出し中の種別収納部が空ではないと判定された場合には、制御部３１は、該当する種別収納部が空になるまでステップＳ１０５からステップＳ１０８までの処理を繰り返す。
【００４１】
そして、制御部３１は、混合収納部Ｃ４に収納されている紙葉類について、該当金種の収納部に装填するよう混合収納部Ｃ４に指示する（Ｓ１１０）。そして、制御部３１は、計数元のすべての紙葉類を処理したかを判断し（Ｓ１１１）、紙葉類が計数元に残っていると判断された場合には、未処理金種についてステップＳ１０５以降の処理を実行するよう計数元の収納部に指示する（Ｓ１１２）。一方、ステップＳ１１１において、紙葉類が計数元に残っていないと判断された場合には、制御部３１は、紙葉類の装填処理を終了する。
【００４２】
上記紙葉類の装填処理では、計数元が種別収納部Ｃ１〜Ｃ３の場合、一旦、混合収納部Ｃ４に収納していたが、かかる例に限定されず、一時保留部３３や紙葉類入出金口２に一旦収納してから、該当する金種の種別収納部に収納するようにしてもよい。
【００４３】
（１−３−２）精査処理の詳細
次に、本実施の形態にかかる精査処理の詳細について説明する。図６Ａに示すように、まず、紙葉類処理装置１１の制御部３１は、混合収納部Ｃ４が空かを判定する（Ｓ２０１）。例えば、混合収納部内に、混合収納部内が空であるかを検知する空検知センサが備えられている場合に、制御部３１は、空検知センサから通知される検知結果に応じて、混合収納部が空か否かを判定する。ステップＳ２０１において、混合収納部Ｃ４が空ではないと判定された場合には、制御部３１は、混合収納部Ｃ４を空にする必要がある旨を係員に案内して（Ｓ２０２）、ステップＳ２０１の処理を繰り返す。ステップＳ２０２において、制御部３１は、係員操作部９に案内表示をさせてもよいし、音声出力により案内するようにしてもよい。例えば、紙葉類の装填時などに、種別収納部Ｃ１〜Ｃ３に正しく装填されず、混合収納部Ｃ４に紙葉類の一部が残留してしまう場合がある。精査処理時に混合収納部Ｃ４内に紙葉類が残留していると、正しく精査処理を行うことができなくなってしまうため、ステップＳ２０２において混合収納部Ｃ４を空にする必要がある旨を係員に案内して、係員により混合収納部Ｃ４に残留している紙葉類を取り除かせている。
【００４４】
そして、ステップＳ２０１において、混合収納部Ｃ４が空であると判定された場合には、制御部３１は、種別収納部Ｃ１〜Ｃ３の紙幣残量より混合収納部Ｃ４の収納可能量が少ないかを判定する（Ｓ２０３）。ステップＳ２０３において、種別収納部Ｃ１〜Ｃ３の紙幣残量より混合収納部Ｃ４の収納可能量が少ないと判定された場合には、制御部３１は、紙葉類の収納先を種別収納部Ｃ１〜Ｃ３に設定する（Ｓ２０４）。一方、ステップＳ２０３において、種別収納部Ｃ１〜Ｃ３の残量より混合収納部Ｃ４の収納可能量が多いかまたは等しいと判定された場合には、制御部３１は、紙葉類の収納先を混合収納部Ｃ４に設定する（Ｓ２０５）。
【００４５】
ここで、紙葉類の残量及び収納可能量について説明する。図７に示すように、種別収納部Ｃ１〜Ｃ３及び混合収納部Ｃ４の紙葉類の収納可能量がそれぞれ３４００枚であるとする。また、紙葉類の精査時において、紙葉類が、種別収納部Ｃ１に３２００枚、種別収納部Ｃ２に２５００枚、種別収納部Ｃ３に２５００枚収納されている場合には、種別収納部Ｃ１〜Ｃ３の合計枚数８２００枚がＣ４の収納可能量の３４００枚より多い。この場合、混合収納部Ｃ４にすべての紙葉類を収納することができないため、収納先は種別収納部Ｃ１〜Ｃ３に設定される。
【００４６】
また、図８に示すように、紙葉類の精査時において、紙葉類が、種別収納部Ｃ１に１０００枚、種別収納部Ｃ２に５００枚、種別収納部Ｃ３に５００枚収納されている場合には、種別収納部Ｃ１〜Ｃ３の合計枚数２０００枚がＣ４の収納可能量３４００枚より少ない。この場合、混合収納部Ｃ４にすべての紙葉類を収納することができるため、収納先は混合収納部Ｃ４に設定される。
【００４７】
このように、本実施の形態では、紙葉類の残量に応じて、紙葉類を回収する収納部を切り替えている。これにより、紙葉類の残量が混合収納部Ｃ４の収納可能量より多い場合に、精査処理の途中で混合収納部Ｃ４に収納された紙葉類を係員が取出すなど、精査処理が中断することを回避している。また、紙葉類の残量が混合収納部Ｃ４の収納可能量より少ない場合には、精査処理後に係員が１つの収納部のみから紙葉類を取り出せばよいため、効率的に紙葉類の回収を行うことを可能としている。
【００４８】
図６Ａに戻り、制御部３１は、種別収納部Ｃ１〜Ｃ３に対して、種別収納部から紙葉類の繰出しを指示し（Ｓ２０６）、種別収納部Ｃ１〜Ｃ３から繰出された紙葉類の識別及び計数を指示する（Ｓ２０７）。
【００４９】
そして、制御部３１は、ステップＳ２０４またはＳ２０５において設定した紙葉類の収納先が種別収納部Ｃ１〜Ｃ３か、混合収納部Ｃ４かを判定する（Ｓ２０８）。ステップＳ２０８において、紙葉類の収納先が種別収納部Ｃ１〜Ｃ３であると判定された場合には、制御部３１は、種別収納部Ｃ１〜Ｃ３のいずれかから繰り出した紙葉類を一旦混合収納部Ｃ４に収納するよう各収納部に指示し（Ｓ２０９）、紙葉類を繰出し中の種別収納部が空になったかを判定する（Ｓ２１０）。ステップＳ２１０において、紙葉類を繰出し中の種別収納部が空になったと判定された場合には、制御部３１は、ステップＳ２１１以降の処理を実行する。一方、ステップＳ２１０において、紙葉類を繰出し中の種別収納部が空になっていないと判定された場合には、制御部３１は、ステップＳ２０６〜Ｓ２１０の処理を繰り返す。
【００５０】
続いて、制御部３１は、紙葉類の収納先となる収納部に紙葉類を収納するよう各収納部に指示する（Ｓ２１１）。紙葉類の収納先となる収納部とは、例えば、収納先が種別収納部Ｃ１〜Ｃ３のいずれかであれば、紙葉類の種別に対応する種別収納部Ｃ１〜Ｃ３のいずれかに収納する。また、収納先が混合収納部Ｃ４であれば、紙葉類を混合収納部Ｃ４に収納する。
【００５１】
そして、制御部３１は、精査対象である種別収納部Ｃ１〜Ｃ３に収納されている紙葉類のすべてを処理したかを判定する（Ｓ２１２）。ステップＳ２１２において、紙葉類のすべてを処理したと判定された場合には、制御部３１は、紙葉類の収納先を案内するよう顧客操作部８等に指示する（Ｓ２１３）。一方、ステップＳ２１２において、紙葉類のすべてを処理していないと判定された場合には、制御部３１は、ステップＳ２０６以降の処理を繰り返す。
【００５２】
ここで、ステップＳ２１３において顧客操作部８に表示される紙葉類の収納先の案内について説明する。上記では、顧客操作部８に紙葉類の収納先を表示するようにしたが、音声出力により紙葉類の収納先を案内するようにしてもよい。
【００５３】
図９に示すように、例えば、紙葉類が紙幣であって、種別収納部Ｃ１が千円を収納するカセット（千円収納カセット）であり、種別収納部Ｃ２が五千円を収納するカセット(五千円収納カセット)であり、種別収納部Ｃ３が万円を収納するカセット（万円収納カセット）あり、混合収納部Ｃ４が運用カセットであり、入金紙葉類収納部Ｃ６が入金収納カセットであるとする。
【００５４】
ステップＳ２０４において、紙葉類の収納先が種別収納部Ｃ１〜Ｃ３に設定された場合には、最終的に紙葉類が種別収納部Ｃ１〜Ｃ３、すなわち、千円収納カセット、五千円収納カセット、万円収納カセットにそれぞれ千円、五千円、万円が回収される。この場合、図９に示す顧客操作部８の表示部に、紙幣が収納されている千円カセット、五千円カセット及び万円カセットの位置を係員が直感的に把握できるように表示し、さらに、収納カセット（千円カセット、五千円カセット、万円カセット）及び収納カセットに収納されている紙幣の内訳（千円カセットに千円、五千円カセットに五千円、万円カセットに万円）を表示する。
【００５５】
また、ステップＳ２０５において、紙葉類の収納先が混合収納部Ｃ４に設定された場合には、最終的に紙葉類が混合収納部Ｃ４、すなわち、運用カセットに千円、五千円及び万円のすべてが回収される。この場合、図１０に示す顧客操作部８の表示部に、紙幣が収納されている運用カセットの位置を係員が直感的に把握できるように表示し、さらに、運用カセット及び運用カセットに収納されている紙幣の内訳（運用カセットに千円、五千円、万円）を表示する。
【００５６】
このように、複数の収納カセットのうち、回収先の収納カセットを明示することにより、係員が効率よく精査された紙葉類を回収することが可能となる。
【００５７】
また、上記実施の形態では、紙葉類の残量情報を紙葉類の枚数としていたが、かかる例に限定されず、紙葉類の残量情報を紙葉類の厚み情報としてもよい。例えば、各種別収納部内に厚みを検出するセンサを設けて、当該センサにより検出した結果を制御部３１に通知するようにする。制御部３１は、各収納部から通知された厚み情報から、各種別収納部が保有している残量情報を算出して、紙葉類の残数を把握する。さらに、入金紙葉類収納部Ｃ６内に残留する紙葉類を精査対象として、種別収納部Ｃ１〜Ｃ３と同様に精査処理を実施してもよい。
【００５８】
（１−４）本実施の形態の効果
以上のように、本実施の形態では、装填処理において、種別収納部Ｃ１〜Ｃ３及び混合収納部Ｃ４のいずれに紙葉類が収納されているかによって紙葉類の計数元を決定し、決定した計数元の収納部の紙葉類を種別毎に識別及び計数して、紙葉類の種別に対応する種別収納部に収納する。また、精査処理において、紙葉類の残量に応じて収納先を決定し、決定した収納先の収納部に識別及び計数した紙葉類を収納する。これにより、装填処理の開始時に、紙葉類が種別収納部または混合収納部のいずれに収納されているかを自動的に判断することができる。また、精査処理時には、紙葉類の残量が混合収納部Ｃ４の収納可能量より多い場合に、精査処理の途中で混合収納部に収納された紙葉類を係員が取出すなどの精査処理の中断を回避し、紙葉類の残量が混合収納部Ｃ４の収納可能量より少ない場合には、精査処理後に係員が１つの収納部のみから紙葉類を取り出せばよいため、効率的に紙葉類の回収を行うことを可能としている。
【００５９】
（２）第２の実施の形態
（２−１）自動取引装置の外観構成及びハードウェア構成
本実施の形態にかかる自動取引装置１の外観構成及びハードウェア構成は、第１の実施の形態とほぼ同様のため詳細な説明は省略する。以下では、第１の実施の形態と異なる構成について特に詳細に説明する。本実施の形態では、精査処理時において、種別収納部Ｃ１〜Ｃ３に紙葉類を回収する場合に、回収先の種別収納部の数を最少とする点で第１の実施の形態と異なる構成となっている。
【００６０】
（２−２）自動取引装置の動作
装填処理については、第１の実施の形態と同様のため詳細な説明は省略する。以下では、精査処理のうち、第１の実施の形態と異なる処理について特に詳細に説明し、第１の実施の形態と同様の処理については詳細な説明を省略する。
【００６１】
（２−２−１）精査処理の詳細
図１１Ａに示すように、まず、紙葉類処理装置１１の制御部３１は、混合収納部Ｃ４が空かを判定する（Ｓ３０１）。ステップＳ３０１において、混合収納部Ｃ４が空ではないと判定された場合には、制御部３１は、混合収納部Ｃ４を空にする必要がある旨を係員に案内して（Ｓ３０２）、ステップＳ３０１の処理を繰り返す。
【００６２】
そして、ステップＳ３０１において、混合収納部Ｃ４が空であると判定された場合には、制御部３１は、種別収納部Ｃ１〜Ｃ３の紙幣残量より混合収納部Ｃ４の収納可能量が少ないかを判定する（Ｓ３０３）。ステップＳ３０３において、種別収納部Ｃ１〜Ｃ３の紙幣残量より混合収納部Ｃ４の収納可能量が少ないと判定された場合には、制御部３１は、紙葉類の収納先を種別収納部Ｃ１〜Ｃ３に設定する（Ｓ３０４）。一方、ステップＳ３０３において、種別収納部Ｃ１〜Ｃ３の残量より混合収納部Ｃ４の収納可能量が多いかまたは等しいと判定された場合には、制御部３１は、紙葉類の収納先を混合収納部Ｃ４に設定する（Ｓ３０７）。
【００６３】
そして、ステップＳ３０４において、紙葉類の収納先が種別収納部Ｃ１〜Ｃ３に設定された場合には、制御部３１は、紙葉類を収納する際に必要な種別収納部の個数が最小となる収納部の数を計算する（Ｓ３０５）。具体的に、制御部３１は、以下の数式により、収納部の数を計算する。
【００６４】
（Ｃ１の残量＋Ｃ２の残量＋Ｃ３の残量）／３４００・・・（数式１）
【００６５】
例えば、上記数式１により計算した結果が０．７であれば収納に必要なカセットの数は１、除算した数が１．５であれば収納に必要なカセットの数は２となる。そして、ステップＳ３０５において計算された個数分の種別収納部を収納先に設定する（Ｓ３０６）。
【００６６】
ここで、図１２を参照して、ステップＳ３０５における種別収納部の個数の計算結果について説明する。図１２に示すように、種別収納部Ｃ１〜Ｃ３及び混合収納部Ｃ４の紙葉類の収納可能量がそれぞれ３４００枚であるとする。また、紙葉類の精査時において、紙葉類が種別収納部Ｃ１に２５００枚、種別収納部Ｃ２に２０００枚、種別収納部Ｃ３に１０００枚収納されているとする。この場合、以下の数式により収納に必要なカセットの数は２つであることがわかる。
【００６７】
（２５００＋２０００＋１０００）／３４００＝１．６・・・（数式２）
【００６８】
図１２に示すように、種別収納部Ｃ１に収納されている紙葉類は、一旦混合収納部Ｃ４に収納された後、種別収納部Ｃ１に収納する。また、種別収納部Ｃ２に収納されている紙葉類は、一旦混合収納部Ｃ４に収納された後、２０００枚のうち９００枚が種別収納部Ｃ１に収納され、１１００枚が種別収納部Ｃ２に収納される。このとき種別収納部Ｃ１には、Ｃ１の紙葉類２５００枚とＣ２の紙葉類９００枚を合計した３４００枚が収納されている。また、種別収納部Ｃ３に収納されている紙葉類は、一旦混合収納部Ｃ４に収納された後、種別収納部Ｃ２に収納される。
【００６９】
図１２の例では、種別収納部Ｃ２の紙葉類が種別収納部Ｃ１と種別収納部Ｃ２に分割された収納されてしまう。そこで、図１３の例に示すように、各種別収納部の紙葉類が分割されないように収納先の収納部を設定するようにしてもよい。例えば、図１２の例と同様に、紙葉類の精査時において、紙葉類が種別収納部Ｃ１に２５００枚、種別収納部Ｃ２に２０００枚、種別収納部Ｃ３に１０００枚収納されているとする。この場合、上記した数式２により収納に必要なカセットの数は２つである。各種別の紙葉類が分割して収納されないように、種別収納部Ｃ１には、種別収納部Ｃ１に収納されていた紙葉類２５００枚が収納され、種別収納部Ｃ２には、種別収納部Ｃ２及びＣ３に収納されていた紙葉類３０００枚（２０００枚＋１０００枚）が収納される。
【００７０】
このように、本実施の形態では、精査処理において収納部にすべての紙葉類が収納可能なように収納先の収納部を設定し、精査処理が中断しまうことを回避している。さらに、紙葉類の残量に応じて、紙葉類を収納するカセットの数を最少にして、精査処理終了後に係員が効率的に紙葉類の回収を行うことを可能としている。
【００７１】
図６Ｂに戻り、制御部３１は、種別収納部Ｃ１〜Ｃ３に対して、種別収納部から紙葉類の繰出しを指示し（Ｓ３０８）、種別収納部Ｃ１〜Ｃ３から繰出された紙葉類の識別及び計数を指示する（Ｓ３０９）。
【００７２】
そして、制御部３１は、ステップＳ３０４またはＳ３０７において設定した紙葉類の収納先が種別収納部Ｃ１〜Ｃ３のいずれか、混合収納部Ｃ４かを判定する（Ｓ３１０）。ステップＳ３１０において、紙葉類の収納先が種別収納部Ｃ１〜Ｃ３のいずれかであると判定された場合には、制御部３１は、種別収納部Ｃ１〜Ｃ３のいずれかから繰り出した紙葉類を一旦混合収納部Ｃ４に収納するよう各収納部に指示し（Ｓ３１１）、紙葉類を繰出し中の種別収納部が空になったかを判定する（Ｓ３１２）。ステップＳ３１２において、紙葉類を繰出し中の種別収納部が空になったと判定された場合には、制御部３１は、ステップＳ３１３以降の処理を実行する。一方、ステップＳ３１２において、紙葉類を繰出し中の種別収納部が空になっていないと判定された場合には、制御部３１は、ステップＳ３０８〜Ｓ３１２の処理を繰り返す。
【００７３】
続いて、制御部３１は、紙葉類の収納先となる収納部に紙葉類を収納するよう各収納部に指示する（Ｓ３１３）。紙葉類の収納先となる収納部とは、ステップＳ３０６において設定された収納部である。また、収納先が混合収納部Ｃ４であれば、紙葉類を混合収納部Ｃ４に収納する。
【００７４】
そして、制御部３１は、精査対象である種別収納部Ｃ１〜Ｃ３に収納されている紙葉類のすべてを処理したかを判定する（Ｓ３１４）。ステップＳ３１４にいて、紙葉類のすべてを処理したと判定された場合には、制御部３１は、紙葉類の収納先を案内するよう顧客操作部８等に指示する（Ｓ３１５）。一方、ステップＳ３１４において、紙葉類のすべてを処理していないと判定された場合には、制御部３１は、ステップＳ３０８以降の処理を繰り返す。
【００７５】
ここで、ステップＳ３１５において顧客操作部８に表示される紙葉類の収納先の案内について説明する。図１４に示すように、例えば、紙葉類が紙幣であって、種別収納部Ｃ１が千円を収納するカセット（千円収納カセット）であり、種別収納部Ｃ２が五千円を収納するカセット(五千円収納カセット)であり、種別収納部Ｃ３が万円を収納するカセット（万円収納カセット）あり、混合収納部Ｃ４が運用カセットであり、入金紙葉類収納部Ｃ６が入金収納カセットであるとする。
【００７６】
ステップＳ３０４において、紙葉類の収納先が種別収納部Ｃ１〜Ｃ３に設定され、紙葉類の収納先の収納部が種別収納部Ｃ１及びＣ２に設定された場合には、千円収納カセット及び五千円収納カセットに千円、五千円、万円が回収される。この場合、図１４に示す顧客操作部８の表示部に、紙幣が収納されている千円カセット及び五千円カセットの位置を係員が直感的に把握できるように表示し、さらに、収納カセット（千円カセット及び五千円カセット）及び収納カセットに収納されている紙幣の内訳（千円カセットに千円、五千円カセットに五千円、万円）を表示する。
【００７７】
このように、複数の収納カセットのうち、回収先の収納カセットを明示することにより、係員が効率よく精査された紙葉類を回収することが可能となる。
【００７８】
（２−３）本実施の形態の効果
以上のように、本実施の形態では、精査処理において収納部にすべての紙葉類が収納可能なように収納先の収納部を設定し、精査処理が中断しまうことを回避している。さらに、紙葉類の残量に応じて、紙葉類を収納するカセットの数を最少にして、精査処理終了後に係員が効率的に紙葉類の回収を行うことを可能としている。
【００７９】
（３）第３の実施の形態
（３−１）自動取引装置の外観構成及びハードウェア構成
本実施の形態にかかる自動取引装置１の外観構成及びハードウェア構成は、第１の実施の形態とほぼ同様のため詳細な説明は省略する。以下では、第１の実施の形態と異なる構成について特に詳細に説明する。本実施の形態では、精査処理時において、種別収納部Ｃ１〜Ｃ３に紙葉類を回収する場合に、枚数の多い種別の紙葉類については、搬送回数を減らすことにより精査時間を短縮する点で第１の実施の形態と異なる構成となっている。
【００８０】
（３−２）自動取引装置の動作
装填処理については、第１の実施の形態と同様のため詳細な説明は省略する。以下では、精査処理のうち、第１の実施の形態と異なる処理について特に詳細に説明し、第１の実施の形態と同様の処理については詳細な説明は省略する。
【００８１】
（３−２−１）精査処理の詳細
図１５Ａに示すように、ステップＳ４０１〜ステップＳ４０５の処理は、第１の実施の形態の図６Ａに示すステップＳ２０１〜ステップＳ２０５と同様の処理のため、詳細な説明は省略する。
【００８２】
ステップＳ４０４またはステップＳ４０５において紙葉類の収納先が設定された後、制御部３１は、紙葉類の収納先の収納部が種別収納部Ｃ１〜Ｃ３か混合収納部Ｃ４かを判定する（Ｓ４０６）。ステップＳ４０６において紙葉類の収納先が種別収納部Ｃ１〜Ｃ３であると判定された場合には、制御部３１は、種別収納部Ｃ１〜Ｃ３への収納の順番を設定する（Ｓ４０７）。具体的に、制御部３１は、各種別収納部Ｃ１〜Ｃ３の紙葉類の残量情報をもとに、収納を実施する種別収納部Ｃ１〜Ｃ３の収納の順番を決定する。収納する順番は、例えば、種別収納部内の紙葉類の残数が一番多い種別収納部を最後に収納するようにする。
【００８３】
そして、制御部３１は、種別収納部繰出処理（Ｓ４０９）を実行した後、全紙葉類を処理したかを判定する（Ｓ４１０）。ステップＳ４０９における種別収納部繰出処理については後で詳細に説明する。ステップＳ４１０において、全紙葉類を処理したと判定された場合には、制御部３１は、紙葉類の収納先を案内するよう顧客操作部８等に指示する（Ｓ４１１）。一方、ステップＳ４１０において、紙葉類のすべてを処理していないと判定された場合には、制御部３１は、ステップＳ４０６以降の処理を繰り返す。
【００８４】
一方、ステップＳ４０６において、紙葉類の収納先が混合収納部Ｃ４であると判定された場合には、制御部３１は、混合収納部Ｃ４の紙葉類を識別、計数した後に、混合収納部Ｃ４に収納するよう指示して（Ｓ４０８）、ステップＳ４１０以降の処理を実行する。
【００８５】
次に、ステップＳ４０９において実行される種別収納部繰出処理について説明する。図８Ｂに示すように、制御部３１は、種別収納部からの紙葉類繰出しを指示する（Ｓ４１２）。そして、制御部３１は、ステップＳ４１２において種別収納部から繰り出した紙葉類の識別及び計数を指示する（Ｓ４１３）。
【００８６】
続いて、ステップＳ４０７において設定された収納の順番に基づいて、種別収納部Ｃ１〜Ｃ３のうち、収納の順番が最後の収納部かを判定する（Ｓ４１４）。ステップＳ４１４において、収納の順番が最後の種別収納部ではないと判定された場合には、種別収納部Ｃ１〜Ｃ３のいずれかから繰り出した紙葉類を一旦混合収納部Ｃ４に収納するよう各収納部に指示し（Ｓ４１５）、紙葉類を繰出し中の種別収納部が空になったかを判定する（Ｓ４１７）。ステップＳ４１７において、紙葉類を繰出し中の種別収納部が空になったと判定された場合には、制御部３１は、収納先の種別収納部への収納を指示する（Ｓ４１８）。一方、ステップＳ４１７において、紙葉類を繰出し中の種別収納部が空になっていないと判定された場合には、制御部３１は、種別収納部が空になるまでステップＳ４１５及びステップＳ４１７の処理を繰り返す。
【００８７】
一方、ステップＳ４１４において、収納の順番が最後の種別収納部であると判定された場合には、種別収納部から繰り出した紙葉類を直接混合収納部Ｃ４に収納するよう指示する（Ｓ４１６）。
【００８８】
次に、図１６を参照して、本実施の形態にかかる種別収納部における紙葉類の収納結果について説明する。図１６に示すように、種別収納部Ｃ１〜Ｃ３及び混合収納部Ｃ４の紙葉類の収納可能量がそれぞれ３４００枚であるとする。また、紙葉類の精査時において、紙葉類が種別収納部Ｃ１に３０００枚、種別収納部Ｃ２に５００枚、種別収納部Ｃ３に５００枚収納されているとする。この場合、種別収納部Ｃ１〜Ｃ３の収納の順番は、紙葉類の残数が一番多い種別収納部を最後に収納されるため、種別収納部Ｃ１の紙葉類が最後に収納される。
【００８９】
例えば、種別収納部Ｃ２に収納されている紙葉類は、一旦混合収納部Ｃ４に収納された後、種別収納部Ｃ２に収納される。また、種別収納部Ｃ３に収納されている紙葉類は、一旦混合収納部Ｃ４に収納された後、種別収納部Ｃ３に収納される。そして、種別収納部Ｃ１に収納されている紙葉類は、最後に混合収納部Ｃ４に収納される。
【００９０】
このように、本実施の形態では、紙葉類の残数が一番多い種別収納部Ｃ１の紙葉類を最後に混合収納部Ｃ４に収納することにより、搬送回数を減らして、効率よく精査処理を実行することを可能としている。ここで、紙葉類の残数が一番多い種別収納部以外の紙葉類をいずれかの種別収納部にまとめて収納するようにしても良い。例えば、種別収納部Ｃ２に収納されている紙葉類を、一旦混合収納部Ｃ４に収納した後、種別収納部Ｃ２に収納し、次に、種別収納部Ｃ３に収納されている紙葉類を、一旦混合収納部Ｃ４に収納した後、種別収納部Ｃ２に収納してもよい。これにより、搬送回数を減らして精査時間を短くするとともに、収納するカセットの数を最少にすることが可能となる。
【００９１】
次に、ステップＳ４１１において顧客操作部８に表示される紙葉類の収納先の案内について説明する。図１７に示すように、例えば、紙葉類が紙幣であって、種別収納部Ｃ１が千円を収納するカセット（千円収納カセット）であり、種別収納部Ｃ２が五千円を収納するカセット(五千円収納カセット)であり、種別収納部Ｃ３が万円を収納するカセット（万円収納カセット）あり、混合収納部Ｃ４が運用カセットであり、入金紙葉類収納部Ｃ６が入金収納カセットであるとする。
【００９２】
例えば、ステップＳ４０４において、紙葉類の収納先が種別収納部に設定され、さらに、ステップＳ４０７において、千円が最後に収納される紙葉類に設定された場合には、紙葉類の残量の多い千円が運用カセットに収納される。そして、五千円及び万円はそれぞれ五千円カセット及び万円カセットに収納される。
【００９３】
このように、運用カセットを回収カセットとして利用することにより、精査処理時間を短縮したり、紙幣の劣化を防止したりすることが可能となる。
【００９４】
（３−３）本実施の形態の効果
紙葉類の残数が一番多い種別収納部Ｃ１の紙葉類を最後に混合収納部Ｃ４に収納することにより、搬送回数を減らして、効率よく精査処理を実行することを可能としている。
【００９５】
（４）第４の実施の形態
（４−１）自動取引装置の外観構成及びハードウェア構成
本実施の形態にかかる自動取引装置１の外観構成及びハードウェア構成は、第１の実施の形態とほぼ同様のため詳細な説明は省略する。以下では、第１〜第３の実施の形態と異なる構成について特に詳細に説明する。本実施の形態では、装填処理または、精査処理において、計数元または、収納先の収納部を係員が設定または、指定する点で第１〜第３の実施の形態と異なる構成となっている。
【００９６】
（４−２）自動取引装置の動作
装填処理または、精査処理において、第１〜第３の実施の形態と異なる処理について特に詳細に説明し、第１〜第３の実施の形態と同様の処理については詳細な説明を省略する。
【００９７】
（４−２−１）各処理の詳細
本実施の形態では、図１８に示す画面において、自動取引装置１の運用開始前の装填処理を実施する前に、係員により予め、装填処理の計数元の収納部または精査処理の収納先の収納部が設定された場合に、設定された情報（設定情報）として保持しておく。係員は、図１８に示す画面を用いて、装填処理の計数元の収納部または精査処理の収納先の収納部を設定する。自動取引装置１は、装填処理または、精査処理を実施する際には、係員により設定された設定情報を基に、計数元の収納部から計数したり、収納先の収納部へ収納したりする。
【００９８】
また、予め設定された設定情報を基に装填処理等を実施する方法の他に、装填処理または精査処理を実施する際に、係員が計数元または収納先の収納部を指定するようにしてもよい。例えば、係員は、図１９に示す画面を用いて、装填処理または精査処理を実施する際に、計数元または収納先の収納部を指定する。自動取引装置１は、計数元または収納先の収納部の指定に応じて、装填処理または精査処理を実施する。
【００９９】
また、上記２つの設定方法を組み合わせて、収納先を予め設定し設定情報として保持しておき、精査処理を実施中に、再度収納先の収納部を指定できるようにしてもよい。例えば、設定情報を基に精査処理の収納先の収納部を設定し、精査処理を実施する。そして、精査処理中に収納先の収納部が満杯になって精査処理が中断した場合に、精査処理再開後の紙葉類の収納先を図１９に示す画面を用いて指定することにより、精査処理を継続させてもよい。
【０１００】
（４−３）本実施の形態の効果
装填処理または精査処理の計数元または収納先を予め設定したり、係員が装填処理または精査処理を実施する直前に、計数元または収納先の収納部を指定したりすることにより、係員の要求に合わせた運用が可能となる。また、精査処理を中断した際に、再開後の紙葉類の収納先を指定することで、効率的に紙葉類の回収が可能となる。
【産業上の利用可能性】
【０１０１】
本発明は、紙葉類を装填したり精査したりする紙葉類処理装置に広く適用することができる。
【符号の説明】
【０１０２】
１      自動取引装置
２      紙葉類入出金口
３      包装硬貨取出口
４      硬貨取出口
５      硬貨入金処理装置
６      カード挿入口
７      明細票取出口
８      顧客操作部
９      係員操作部
１１    紙葉類処理装置
１２    包装硬貨処理装置
１３    硬貨処理装置
１４    カード処理装置
１５    明細票処理装置
３０    主制御部
３１    制御部
３２    識別部
３３    一時保留部
【図１】
0005759334.tif 000002
【図２】
0005759334.tif 000003
【図３】
0005759334.tif 000004
【図４】
0005759334.tif 000005
【図５Ａ】
0005759334.tif 000006
【図５Ｂ】
0005759334.tif 000007
【図６Ａ】
0005759334.tif 000008
【図６Ｂ】
0005759334.tif 000009
【図７】
0005759334.tif 000010
【図８】
0005759334.tif 000011
【図９】
0005759334.tif 000012
【図１０】
0005759334.tif 000013
【図１１Ａ】
0005759334.tif 000014
【図１１Ｂ】
0005759334.tif 000015
【図１２】
0005759334.tif 000016
【図１３】
0005759334.tif 000017
【図１４】
0005759334.tif 000018
【図１５Ａ】
0005759334.tif 000019
【図１５Ｂ】
0005759334.tif 000020
【図１６】
0005759334.tif 000021
【図１７】
0005759334.tif 000022
【図１８】
0005759334.tif 000023
【図１９】
0005759334.tif 000024